(57)【要約】【課題】  車両走行中はＤＶＤの再生を一時停止するＤＶＤ再生装置において、ＤＶＤの再生再開時には再生情報のつながりが分かりやすいものとする。【解決手段】  ＤＶＤから映像、音声を読み出し、表示部２とスピーカ３に再生するＤＶＤ再生装置において、走行状態判定部１４で車両の走行状態を判定し、車両が停止から走行状態に移行した場合、ＤＶＤ再生制御部１５はＤＶＤの映像再生を一時停止し、次に車両が停止するとＤＶＤを一定時間戻してから再生を再開するようにする。【選択図】    図１
2005167880.tif 000002
【特許請求の範囲】
【請求項１】
記憶媒体からビデオ情報を読み出し、表示手段にビデオ情報を再生する車両用ビデオ再生装置において、
車両の走行状態を判定する車両の走行状態判定手段と、
該走行状態判定手段により、車両が停車状態であると判定されている間前記ビデオ情報の再生を行い、車両が走行状態であると判定されている間はビデオ情報の再生を一時停止する再生制御手段と、
ビデオ情報再生の一時停止後の再生再開に際して、前記記憶媒体の再生再開位置を一時停止時の停止位置より所定時間戻す戻し手段とを備えることを特徴とする車両用ビデオ再生装置。
【請求項２】
車両が停車から走行状態に移行しビデオ情報再生が一時停止してから、次回の停車までの経過時間を算出する経過時間算出手段を設け、
前記所定時間は前記経過時間に基づいて可変設定されることを特徴とする請求項１記載の車両用ビデオ再生装置。
【請求項３】
前記所定時間は、前記経過時間が長いほど長く設定されることを特徴とする請求項２記載の車両用ビデオ再生装置。
【請求項４】
音声情報を出力する音声ソース部を設け、
前記再生制御手段は、前記経過時間が所定時間以上の場合、前記音声ソース部からの音声情報を再生することを特徴とする請求項２または３記載の車両用ビデオ再生装置。
【請求項５】
道路情報を記憶する道路情報記憶手段を設け、前記経過時間は、該道路情報記憶手段からの道路情報に基づいて推定されることを特徴とする請求項２から４のいずれか１に記載の車両用ビデオ再生装置。
【請求項６】
ビデオ情報の再生時間を算出する再生時間算出手段を設け、
一時停止前の再生時間がその後の再生一時停止から次回の停車までの経過時間に基づく戻し時間以下の場合には、前記戻し時間を前記再生時間と同じ値に設定することを特徴とする請求項２から５のいずれか１に記載の車両用ビデオ再生装置。
【請求項７】
前記記憶媒体がＤＶＤであることを特徴とする請求項１から５のいずれか１に記載の車両用ビデオ再生装置。
【請求項８】
記憶媒体からビデオ情報を読み出し、そのビデオ情報を再生する車両用ビデオ再生方法において、
車両の走行状態を判定し、
車両が停車していることを判定した場合にビデオ情報の再生を行い、
ビデオ情報の再生中に車両が走行状態に移行した場合にビデオ情報の再生を一時停止し、
該再生の一時停止中に車両が停車状態に移行すると、記憶媒体の再生再開位置を一時停止時の停止位置より所定時間戻してからビデオ情報の再生を行うことを特徴とする車両用ビデオ再生方法。 
【発明の詳細な説明】
【技術分野】
【０００１】
本発明は、例えばＤＶＤ（ディジタル多用途ディスク）等からビデオ情報を読み出して再生する車両用ビデオ再生装置に関する。
【背景技術】
【０００２】
従来より、例えば、特許文献１に記載されるように車両走行中にはＤＶＤの映像を停止し、車両停止が検出されると前回再生中断箇所より再生を再開するものが知られている。
【特許文献１】特開２００３―２１５００号公報
【発明の開示】
【発明が解決しようとする課題】
【０００３】
しかしながら、上述した従来の技術では、車両走行が検出された時点でＤＶＤの再生を中断し、車両停止が検出されると前回再生中断箇所より再生を再開する構成になっていたため、台詞の途中で車両が走行状態になり、ＤＶＤの映像の再生を停止された場合、次に車両停止が検出されてその位置から再生しても台詞の繋がりがわからない場合がある。
【０００４】
本発明は、上述した問題点に鑑みて提案されたものであり、車両走行中のビデオ再生を停止するとともに、運転者が満足するビデオ再生を可能とした車両用ビデオ再生装置を提供することを目的とする。
【課題を解決するための手段】
【０００５】
本発明の車両用ビデオ再生装置は、車両の走行状態を検出する車両の走行状態検出手段と、車両が停車状態であると判定されている間記憶媒体からのビデオ情報の再生を行い、車両が走行状態であると判定されている間はビデオ情報の再生を一時停止する再生制御手段と、ビデオ情報再生の一時停止後の再生再開に際して、記憶媒体の再生再開位置を一時停止時の停止位置より所定時間戻す戻し手段とを備えるものとした。
【発明の効果】
【０００６】
本発明に係る車両用ビデオ再生装置によれば、台詞の途中で車両が走行状態になり、ビデオ情報の再生が停止された場合等にも、次に車両停止が検出されてその位置から情報の再生を再開する際に一定時間遡って再生するので、再度その台詞も繰返され、繋がりが分かり易くなる。
【発明を実施するための最良の形態】
【０００７】
次に、本発明の実施の形態を実施例により説明する
図１は、本発明を車両用ＤＶＤ再生装置に適用した第一の実施例の構成を示すシステムブロック図である。
車両用ＤＶＤ再生装置１０には記憶媒体としてのＤＶＤに格納されたソフトを再生するＤＶＤ再生部１と、映像を再生する表示部２と、音声を再生するスピーカ３と、車速検出部４と操作部５とが設けられ、車速検出部４の信号と操作部５の信号がＤＶＤ再生部１に入力される。
【０００８】
車速検出部４は、車両の車輪速センサからなり、車速に対応する値を車速信号としてＤＶＤ再生部１に出力する。
操作部５は、例えば運転席の操作パネルに設けられた図示しない押しボタンスイッチで構成され、ユーザーの操作によりＤＶＤの再生を指示する信号をＤＶＤ再生部１に出力する。
表示部２は、ＤＶＤの再生した映像情報をユーザーに表示する機能を有する。この表示部２は、例えば液晶ディスプレイからなる。
【０００９】
ＤＶＤ再生部１には、マイクロコンピュータ１１、ＤＶＤ映像再生部１２、オーディオ再生部１３とが設けられている。
マイクロコンピュータ１１は、車速信号により車両の停車・走行を判定する走行状態判定部１４と、ＤＶＤ映像再生部１２とオーディオ再生部１３の動作を制御するＤＶＤ再生制御部１５を備える。
【００１０】
以上のように構成された車両用ＤＶＤ再生装置１０は、操作部５からＤＶＤの映像・音声再生の指示信号が入力されるとＤＶＤ映像・音声の再生処理をスタートする。車速検出部４の信号により走行状態判定部１４で車両の停車が判定されると、ＤＶＤ再生制御部１５からＤＶＤの駆動信号がＤＶＤ映像再生部１２及びオーディオ再生部１３へ出力される。
ＤＶＤ映像再生部１２は映像信号を表示部２へ出力し、表示部２に映像が表示され、オーディオ再生部１３は音声信号をスピーカ３に出力し、スピーカ３より音声が流される。
【００１１】
次に、ＤＶＤ再生部１におけるＤＶＤ再生処理について説明する。
図２はＤＶＤ再生処理の流れを説明するフローチャートである。操作部５からマイクロコンピュータ１１に再生指示信号が入力されるとスタートし、以後所定時間ごとに実行される。
まず、ステップ１００で、走行状態判定部１４は車両が停車か否かを判定する。
車両が停車しているときには、ステップ１１０で、ＤＶＤ再生制御部１５はＤＶＤの再生を開始する。車両が走行中のときには、ＤＶＤの再生を開始せず、ステップ１００を繰返す。
【００１２】
ＤＶＤ再生開始後は、ステップ１２０で、走行状態判定部１４は車両が走行中になっているか否かを判定する。停車が継続している間はこの判定を繰り返し、車両が走行中になると、ステップ１３０へ進む。
【００１３】
ステップ１３０では、ＤＶＤ再生制御部１５はＤＶＤ映像再生部１２及びオーディオ再生部１３にＤＶＤの再生を一時停止する信号を出力し、ＤＶＤの再生は中断する。
次にこの一時停止状態においてステップ１４０では、走行状態判定部１４が車両走行状態を判定する。
停車中になった場合は、ステップ１５０で、ＤＶＤ再生制御部１５はディスクの再生再開位置を一定時間（例えば１０ｓｅｃ）戻させたうえ、ステップ１１０へ戻る。ＤＶＤ映像再生部１２と音声再生部１３はその戻した位置からＤＶＤの再生を再開し、それぞれ映像信号を表示部２に出力して表示し、音声信号をスピーカ３に出力して音声を流す。
その後はステップ１２０に進みルーチンを繰り返す。
【００１４】
本実施例では、表示部２とスピーカ３とが発明の表示手段を構成している。また、フローチャートにおけるステップ１００、１２０及び１４０が発明の走行状態判定手段を、ステップ１１０および１３０が再生制御手段を、そしてステップ１５０が戻し手段を構成する。
【００１５】
以上のようにこの実施例では、ＤＶＤ再生中であって台詞の途中で車両が走行状態になり、ＤＶＤの映像の再生が中止しされた場合にも、次に車両停止が検出されてＤＶＤの再生を再開する際に一定時間溯って再生するために再度その台詞も繰返されるので繋がりがわかりやすい。
【００１６】
次に第二の実施例について説明する。
第一の実施例ではＤＶＤの再生再開に際して、一律に一定時間戻しているが、本実施例は、戻し時間を可変とするものである。また、一時停止時間が長い場合は他の音声ソースの再生を行う。
図３は、第二の実施例の構成を示すシステムブロック図である。図１に示した第一実施例と同一の構成は、同一の番号を付して詳しい説明は省略する。
車両用ＤＶＤ再生装置１０Ａにおいて、ＤＶＤ再生部１Ａのマイクロコンピュータ１１Ａは、走行状態判定部１４に加え、ＤＶＤ再生の一時停止（中断）時間をカウントするＤＶＤ停止時間算出部１６と、このＤＶＤ停止時間に基づいてＤＶＤ再生の戻し時間を算出するＤＶＤ戻し時間算出部１７を有している。
【００１７】
車両用ＤＶＤ再生装置１０Ａにはさらに、一時停止時間が長いときに他の音声、例えばラジオやＣＤの音楽を提供するため、他の音声ソース部６が配されている。他の音声ソース部６とＤＶＤ再生部１Ａのオーディオ再生部１３とはスイッチＳＷを介してスピーカ３に接続されており、ＤＶＤ再生制御部１５ＡによるスイッチＳＷの制御でいずれかがスピーカ３につながるように切り替えられる。
その他の構成は図１の第一の実施例と同じである。
【００１８】
図４は、第二実施例におけるＤＶＤ再生の処理の流れを示すフローチャートである。第一実施例と同じ手順を示すステップには、同じステップ番号を付してその詳しい説明を省略する。この手順も第一実施例の手順と同様に所定時間毎に実行される。
第二実施例の動作が第一実施例の動作と異なる点は、車両が停車から走行状態に変化し、ＤＶＤ再生が一時停止され、その後ＤＶＤの再生が再開されるまでの処理である。
ステップ１２０の走行状態判定部１４による判定結果が、走行状態になると、ステップ２００へ進んで、ＤＶＤ再生制御部１５ＡがＤＶＤの再生を一時停止するとともに、ＤＶＤ停止時間算出部１６が停止時間をリセット（Ｔ＝０）する。
【００１９】
その後、ステップ２１０で、走行状態判定部１４が車両は停車しているかどうかを判定する。車両は停車していないと判定するとステップ２２０に進み、ＤＶＤ停止時間算出部１６がＤＶＤ再生の一時停止時間をカウント（Ｔ＝Ｔ＋経過時間）する。
ステップ２３０では、ＤＶＤ再生制御部１５ＡがＤＶＤの再生の一時停止時間が所定時間を超えたかどうかを判定する。一時停止時間が所定時間を超えているときには、ステップ２４０でＤＶＤ再生制御部１５ＡがスイッチＳＷをオーディオ再生部１３から他の音声ソース部６に切り替えて、他の音楽が聴けるようにする。
このあと、ステップ２１０へ戻る。
【００２０】
また、ステップ２１０の判定で、車両が停車のときは、ステップ３００へ進む。なおこの前にステップ２４０で他の音声ソース部６に切り替えている場合は、ＤＶＤ再生制御部１５ＡはスイッチＳＷをオーディオ再生部１３側へ戻す。
ステップ３００では、ＤＶＤ戻し時間算出部１７がそれまでにカウントされた一時停止時間に基づいて戻し時間Ｒ（＝ｆ（Ｔ））を算出する。
具体的にはこの一時停止時間が長いほど、戻し時間が長くなるように設定する。
次にステップ３１０で、ＤＶＤ再生制御部１５Ａからの指令により、ＤＶＤ映像再生部１２がＤＶＤをＲ時間戻してから、ステップ１１０へ戻る。ステップ１１０では表示部２へ映像の再生を再開し、それと同期してオーディオ再生部１３の音声信号によりスピーカ３から音声が流れる。
【００２１】
図５は、ＤＶＤ再生の一時停止時間とＤＶＤ戻し時間の関係を示す算出例を示す。
この例では、同じ一時停止時間に対して戻し時間を３種類、即ち設定１（短め）、設定２（普通）そして設定３（長め）にしている。このように同じ停止時間に対して運転者がその戻し時間を選択するようにしている。例えば、一時停止時間が３分以内の場合戻し時間は５秒、１０秒、２０秒の中から選択している。以下一時停止時間が１０分以内、３０分以内、そして３０分を越えた夫々に対して３つの戻し時間を設定した例を示している。
【００２２】
本実施例では、表示部２とスピーカ３とが発明の表示手段を構成している。また、図４のフローチャートにおけるステップ１００、１２０及び２１０が発明の走行状態判定手段を、ステップ１１０、２００、２３０および２４０と、さらにＤＶＤ一時停止を行うステップ２２０が再生制御手段を、また時間カウントを行うステップ２２０が発明の経過時間算出手段を、そしてステップ３００、３１０が戻し手段を構成する。
【００２３】
以上のようにこの第二の実施例では、ＤＶＤの再生戻し時間を再生の一時停止時間によって可変にすることにより、車両の走行時間が長く、再生の停止時間が長い場合、ストーリーの流れがわかる程度に多めに溯って再生されるために、前回見た部分との繋がりが分かりやすくなる。
また、戻し時間を運転者の好みに合わせて選択できるようにしたので、一時停止後のＤＶＤ再生を誰でも違和感無く楽しむことができる。
更に再生の停止時間が長いときには、他の音楽などを流すことでＤＶＤ再生を待つ間のイライラを防ぎ運転者等に満足感を与えることができる。
【００２４】
図６は、第三の実施例の構成を示すシステムブロック図である。
本実施例は、ＤＶＤの再生再開時の戻し時間を実際の一時停止時間に基づいて算出するのに加えて、さらに前回の再生時間も考慮するようにしたものである。さらに、走行状態に入ったとき予想される連続走行時間が長い場合には直ぐに他の音楽などを流すようにする。
図３に示した第二実施例と同一の構成は、同一の番号を付して詳しい説明は省略する。
【００２５】
車両用ＤＶＤ再生装置１０Ｂにおいて、ＤＶＤ再生部１Ｂのマイクロコンピュータ１１Ｂには、走行状態判定部１４とＤＶＤ停止時間算出部１６とＤＶＤ戻し時間算出部１７に加え、ＤＶＤの再生時間をカウントするＤＶＤ再生時間算出部１９が設けられるとともに、ＤＶＤ再生制御部１５Ｂに接続されてＤＶＤ再生部１Ｂに道路情報を入力する道路情報記憶部７が配される。
その他の構成は、図３の第二の実施例と同じである。
【００２６】
図７は、ＤＶＤ再生部１ＢにおいてＤＶＤが再生される場合の処理の流れを示すフローチャートである。第二実施例と同じステップには、図４のフローチャートと同じステップ番号を付してその詳しい説明を省略する。この処理も第二の実施例と同様に所定時間毎に実行される。
ステップ１１０でＤＶＤの再生が開始されると、次のステップ１１５で、再生時間Ｔ２をリセットして、ステップ１２０へ進む。
【００２７】
ステップ１２０の走行状態判定部１４による判定結果が、車両の走行状態になった場合は、ステップ２００において、ＤＶＤ再生制御部１５ＢがＤＶＤ再生の一時停止を行い、ＤＶＤ停止時間算出部１６が停止時間Ｔ１をリセットする。
それから、ステップ２５０で、ＤＶＤ再生制御部１５Ｂは道路情報記憶部７からの情報に基づいて、車両が停車せずに連続で走行する予想時間を算出し、これが予め定めた所定値以上（例えば３分以上）であるかどうかを判定する。
連続走行の予想時間が上記所定値以上の場合は、ステップ２６０へ進んで、ＤＶＤ再生制御部１５ＢはスイッチＳＷをオーディオ再生部１３から他の音声ソース部６へ切り替えて、例えばＤＶＤ再生前に聴いていた音声のみのソース（ラジオ、ＣＤなど）に一時移行する。
上記予想時間が所定値より小さければステップ２７０に進む。
【００２８】
一方、ステップ１２０の判定で、車両が停車継続中であるときは、ステップ１２５へ進んで、ＤＶＤ再生時間算出部１９がＤＶＤの再生時間（Ｔ２＝Ｔ２＋経過時間）をカウントする。
車両が停車継続中の間、ステップ１２０、１２５が繰り返される。
【００２９】
ステップ２７０では、走行状態判定部１４が車両は停車しているかどうかを判定する。
まだ走行状態のときは、ステップ２８０へ進んで、ＤＶＤ停止時間算出部１６がＤＶＤ再生の一時停止時間をカウント（Ｔ１＝Ｔ１＋経過時間）する。
車両が走行状態を継続している間、ステップ、２７０、２８０を繰り返す。
【００３０】
ステップ２７０の判定で、車両の停車となった場合には、ステップ３２０へ進む。なおこの前にステップ２６０で他の音声ソース部６に切り替えている場合は、ＤＶＤ再生制御部１５ＢはスイッチＳＷをオーディオ再生部１３側へ戻す。
ステップ３２０では、ＤＶＤ再生制御部１５Ｂは今回再生されたＤＶＤの再生時間Ｔ２と、一時停止時間Ｔ１に基づいて算出された戻し時間Ｒとを比較する。
Ｔ２がＲより大きい場合には、ステップ３３０へ進んで、ＤＶＤ戻し時間算出部１７がＤＶＤの一時停止時間Ｔ１に基づいて戻し時間を算出する（Ｒ＝ｆ（Ｔ１））。
Ｔ２がＲ以下のときには、ステップ３４０へ進んで、ＤＶＤ戻し時間算出部１７はＲ＝Ｔ２とする。
【００３１】
ステップ３３０または３４０で戻し時間Ｒが求まると、ステップ３５０で、ＤＶＤ再生制御部１５Ｂは戻し時間Ｒを示す信号をＤＶＤ映像再生部１２及びオーディオ再生部１３に出力して、ステップ１１０へ戻る。これにより、Ｒ時間分戻した位置からＤＶＤ再生が再開される。
【００３２】
本実施例では、表示部２とスピーカ３とが発明の表示手段を構成し、道路情報記憶部７が道路情報記憶手段を構成している。
また、図７のフローチャートにおけるステップ１００、１２０及び２７０が発明の走行状態判定手段を、ステップ１１０、２００、２５０および２６０が再生制御手段を、ステップ１２５が再生時間算出手段を、ステップ２８０が経過時間算出手段を、そしてステップ３２０、３３０、３４０および３５０が戻し手段を構成する。
【００３３】
以上のように本実施例では、ＤＶＤ再生の一時停止後すぐに道路情報記憶部７からの情報により連続走行時間（ＤＶＤ再生停止時間）を予想し、その時間が長い場合には走行に移行後すぐに音声が流れ、待ち時間のイライラから解放されドライブを楽しむことができる。
またＤＶＤの戻す時間はＤＶＤの再生された時間を考慮して算出されるため、以前に戻した位置までさらに戻してしまうことを防止でき、常に快適なＤＶＤ再生を味わうことができる。
【図面の簡単な説明】
【００３４】
【図１】本発明をＤＶＤ再生装置に適用した第一の実施例の構成を示すブロック図である。
【図２】ＤＶＤの再生処理の流れを示すフローチャートである。
【図３】第二の実施例の構成を示すブロック図である。
【図４】第二の実施例におけるＤＶＤの再生処理の流れを示すフローチャートである。
【図５】ＤＶＤの再生一時停止時間とＤＶＤの戻し時間の関係を示す図である。
【図６】第三の実施例の構成を示すブロック図である。
【図７】第三の実施例におけるＤＶＤの再生処理の流れを示すフローチャートである。
【符号の説明】
【００３５】
１、  ＤＶＤ再生部
２、  表示部
３、  スピーカ
４、  車速検出部
５、  操作部
６、  他の音声ソース部（音声ソース部）
７、  道路情報記憶部（道路情報記憶手段）
１０、１０Ａ、１０Ｂ    車両用ＤＶＤ再生装置
１１、１１Ａ、１１Ｂ    マイクロコンピュータ
１２    ＤＶＤ映像再生部
１３    オーディオ再生部
１４    走行状態判定部
１５、１Ａ、１５Ｂ    ＤＶＤ再生制御部
１６    ＤＶＤ停止時間算出部
１７    ＤＶＤ戻し時間算出部
１９    ＤＶＤ再生時間算出部
【図１】
2005167880.tif 000003
【図２】
2005167880.tif 000004
【図３】
2005167880.tif 000005
【図４】
2005167880.tif 000006
【図５】
2005167880.tif 000007
【図６】
2005167880.tif 000008
【図７】
2005167880.tif 000009